(57)【要約】      （修正有）【課題】ブロック間の水平結合、垂直結合、上下結合などと、様々な合体結合が可能であり、より多様な模型に組み立てが可能な組み立て式ブロック玩具セットを提供する。【解決手段】組み立て式ブロック玩具セットは、多数の四角ブロック１００で構成されており、四角ブロック１００は、一定の高さの正四角柱形状の胴体部１１０、胴体部１１０各辺の外側面に形成される結合部１２０、胴体部１１０の上、下面に形成される上下結合突起１４０または上下結合溝、胴体部１１０の中央に形成される十字軸挿入孔１６０、及び十字軸挿入孔１６０を除いた胴体部１１０に形成される複数個の結合部挿入孔１７０を含む。【選択図】図１
2018061812.tif 000002
【特許請求の範囲】
【請求項１】
組み立て式ブロック玩具セットにおいて、
前記組み立て式ブロック玩具セットは、多数の四角ブロック（１００）で構成されており、
前記四角ブロック（１００）は、一定の高さの正四角柱形状の胴体部（１１０）、前記胴体部（１１０）各辺の外側面の一方に形成される４つの第１結合部（１２０）、前記胴体部（１１０）各辺の外側面の他方に形成される４つの第２結合部（１３０）、前記胴体部（１１０）の上面に形成される複数個の上下結合突起（１４０）、前記胴体部（１１０）の下面に形成される複数個の上下結合溝（１５０）、前記胴体部（１１０）の中央に形成される十字軸挿入孔（１６０）、前記十字軸挿入孔（１６０）を除いた胴体部（１１０）に形成される複数個の結合部挿入孔（１７０）、及び前記胴体部（１１０）の上、下面に胴体部（１１０）の縁部に沿って胴体部（１１０）内側に長く形成される一字溝（１８０）を含み、
前記第１結合部（１２０）は、他の四角ブロック（１００）の第２結合部（１３０）が挿入されるように、互いに対称で離隔設置される二字型結合片（１２１）、前記二字型結合片（１２１）の内側壁に対称で形成される溝（１２２）、及び前記二字型結合片（１２１）の外側壁に対称で形成される突起（１２３）を含み、前記第２結合部（１３０）は、他の四角ブロック（１００）の第１結合部（１２０）に挿入されるＨ字型結合片（１３１）、及び前記Ｈ字型結合片（１３１）の外側上端に対称で形成される突起（１３２）を含むことを特徴とする組み立て式ブロック玩具セット。
【請求項２】
組み立て式ブロック玩具セットにおいて、
前記組み立て式ブロック玩具セットは、多数の四角ブロック（１００）で構成されており、
前記四角ブロック（１００）は、一定の高さの正四角柱形状の胴体部（１１０）、前記胴体部（１１０）各辺の外側面の一方に形成される４つの第１結合部（１２０）、前記胴体部（１１０）各辺の外側面の他方に形成される４つの第２結合部（１３０）、前記胴体部（１１０）の上面に形成される複数個の上下結合突起（１４０）、前記胴体部（１１０）の下面に形成される複数個の上下結合溝（１５０）、前記胴体部（１１０）の中央に形成される十字軸挿入孔（１６０）、前記十字軸挿入孔（１６０）を除いた胴体部（１１０）に形成される複数個の結合部挿入孔（１７０）、及び前記胴体部（１１０）の上、下面に胴体部（１１０）の縁部に沿って胴体部（１１０）内側に長く形成される一字溝（１８０）を含み、
前記第１結合部（１２０）は、他の四角ブロック（１００）の第２結合部（１３０）が挿入されるように、互いに対称で離隔設置される二字型結合片（１２１）、前記二字型結合片（１２１）の内側壁に対称で形成される溝（１２２）、及び前記二字型結合片（１２１）の外側壁に対称で形成される突起（１２３）を含み、前記第２結合部（１３０）は、他の四角ブロック（１００）の第１結合部（１２０）に挿入されている一字型結合片（１３３）、及び前記一字型結合片（１３３）の外側壁に対称で形成される突起（１３４）を含むことを特徴とする組み立て式ブロック玩具セット。
【請求項３】
組み立て式ブロック玩具セットにおいて、
前記組み立て式ブロック玩具セットは、多数の四角ブロック（１００）で構成されており、
前記四角ブロック（１００）は、一定の高さの正四角柱形状の胴体部（１１０）、前記胴体部（１１０）各辺の外側面の一方に形成される４つの第１結合部（１２０）、前記胴体部（１１０）各辺の外側面の他方に形成される４つの第２結合部（１３０）、前記胴体部（１１０）の上面に形成される複数個の上下結合突起（１４０）、前記胴体部（１１０）の下面に形成される複数個の上下結合溝（１５０）、前記胴体部（１１０）の中央に形成される十字軸挿入孔（１６０）、前記十字軸挿入孔（１６０）を除いた胴体部（１１０）に形成される複数個の結合部挿入孔（１７０）、及び前記胴体部（１１０）の上、下面に胴体部（１１０）の縁部に沿って胴体部（１１０）内側に長く形成される一字溝（１８０）を含み、
前記第１結合部（１２０）は、他の四角ブロック（１００）の第２結合部（１３０）が挿入されるように、互いに対称で離隔設置される二字型結合片（１２４）、前記二字型結合片（１２４）の内側壁に対称で形成される突起（１２５）、及び前記二字型結合片（１２４）の外側壁に対称で形成される突起（１２６）を含み、前記第２結合部（１３０）は、他の四角ブロック（１００）の第１結合部（１２０）に挿入され、かつ上端面に上下方向に９面角部（１３６）を有する一字型結合片（１３５）、及び前記一字型結合片（１３５）の外側壁に対称で形成される溝（１３７）を含むことを特徴とする組み立て式ブロック玩具セット。
【請求項４】
前記十字軸挿入孔（１６０）を除いた胴体部（１１０）に形成される複数個の結合部挿入孔（１７０）は、他の四角ブロック（１００）の第１結合部（１２０）の結合片（１２１、１２４）、第２結合部（１３０）の結合片（１３１、１３３、１３５）が立てられて直交挿入されるように形成され、他の四角ブロック（１００）の第１結合部（１２０）の結合片（１２１、１２４）が挿入される複数個の正四角形挿入孔（１７１）、及び他の四角ブロック（１００）の第２結合部（１３０）の結合片（１３１、１３３、１３５）が挿入される複数個のＸ字型挿入孔（１７２）を含むことを特徴とする請求項１〜３のいずれか一項に記載の組み立て式ブロック玩具セット。
【請求項５】
前記胴体部（１１０）各辺の外側面の中央には、他の四角ブロック（１００）の胴体部（１１０）側面が立てられて直交結合されるように、互いに対称で離隔設置される一対の結合片（１９１）を有する第３結合部（１９０）が形成されて、前記第３結合部（１９０）の結合片（１９１）は第１、２結合部（１２０、１３０）の結合片（１２１、１３１）より短く形成され、前記第３結合部（１９０）の結合片（１９１）の内側面には、突起（１９２）が形成されて、前記突起（１９２）中の一つは内側面の上側に形成されて、他の一つは内側面の下側に形成されて、
前記胴体部（１１０）上面の各辺の一字溝（１８０）の中央から一方に偏って側面直交結合溝（１８１）が形成され、前記胴体部（１１０）下面の各辺の一字溝（１８０）の中央から他方に偏って側面直交結合溝（１８１）が形成されて、一つの四角ブロック（１００）の胴体部（１１０）の側面に他の四角ブロック（１００）の胴体部（１１０）側面が立てられて直交結合されるとき、前記第３結合部（１９０）の結合片（１９１）の内側面に形成された突起（１９２）中の一つは、他の四角ブロック（１００）の胴体部（１１０）上面の側面直交結合溝（１８１）に挿入され、他の一つは、他の四角ブロック（１００）の胴体部（１１０）下面の側面直交結合溝（１８１）に挿入されることを特徴とする請求項１〜３のいずれか一項に記載の組み立て式ブロック玩具セット。
【請求項６】
組み立て式ブロック玩具セットにおいて、
前記組み立て式ブロック玩具セットは、多数の五角ブロック（２００）で構成されており、請求項１〜５のいずれか一項に記載の四角ブロック（１００）を含んでおり、
前記五角ブロック（２００）は、一定の高さの正五角柱形状の胴体部（２１０）、前記胴体部（２１０）各辺の外側面の一方に形成される５つの第１結合部（２２０）、前記胴体部（２１０）各辺の外側面の他方に形成される５つの第２結合部（２３０）、前記胴体部（２１０）の上面に形成される複数個の上下結合突起（２４０）、前記胴体部（２１０）の下面に形成される複数個の上下結合溝（２５０）、前記胴体部（２１０）中央に形成される十字軸挿入孔（２６０）、前記十字軸挿入孔（２６０）を除いた胴体部（２１０）に形成される複数個の結合部挿入孔（２７０）、及び前記胴体部（２１０）の上、下面に胴体部（２１０）の縁部に沿って胴体部（２１０）内側に長く形成される一字溝（２８０）を含み、
前記第１結合部（２２０）は、他の四角ブロック（１００）または五角ブロック（２００）の第２結合部（１３０、２３０）が挿入されるように、互いに対称で離隔設置される二字型結合片（２２１）、前記二字型結合片（２２１）の内側壁に対称で形成される溝（２２２）、及び前記二字型結合片（２２１）の外側壁に対称で形成される突起（２２３）を含み、前記第２結合部（２３０）は、他の四角ブロック（１００）または五角ブロック（２００）の第１結合部（１２０、２２０）に挿入されるＨ字型結合片（２３１）、及び前記Ｈ字型結合片（２３１）の外側上端に対称で形成される突起（２３２）を含むことを特徴とする組み立て式ブロック玩具セット。
【請求項７】
組み立て式ブロック玩具セットにおいて、
前記組み立て式ブロック玩具セットは、多数の五角ブロック（２００）で構成されており、請求項１〜５のいずれか一項に記載の四角ブロック（１００）を含んでおり、
前記五角ブロック（２００）は、一定の高さの正五角柱形状の胴体部（２１０）、前記胴体部（２１０）各辺の外側面の一方に形成される５つの第１結合部（２２０）、前記胴体部（２１０）各辺の外側面の他方に形成される５つの第２結合部（２３０）、前記胴体部（２１０）の上面に形成される複数個の上下結合突起（２４０）、前記胴体部（２１０）の下面に形成される複数個の上下結合溝（２５０）、前記胴体部（２１０）の中央に形成される十字軸挿入孔（２６０）、前記十字軸挿入孔（２６０）を除いた胴体部（２１０）に形成される複数個の結合部挿入孔（２７０）、及び前記胴体部（２１０）の上、下面に胴体部（２１０）の縁部に沿って胴体部（２１０）内側に長く形成される一字溝（２８０）を含み、
前記第１結合部（２２０）は、他の四角ブロック（１００）または五角ブロック（２００）の第２結合部（１３０、２３０）が挿入されるように、互いに対称で離隔設置される二字型結合片（２２１）、前記二字型結合片（２２１）の内側壁に対称で形成される溝（２２２）、及び前記二字型結合片（２２１）の外側壁に対称で形成される突起（２２３）を含み、前記第２結合部（２３０）は、他の四角ブロック（１００）または五角ブロック（２００）の第１結合部（１２０、２２０）に挿入されている一字型結合片（２３３）、及び前記一字型結合片（２３３）の外側壁に対称で形成される突起（２３４）を含むことを特徴とする組み立て式ブロック玩具セット。
【請求項８】
組み立て式ブロック玩具セットにおいて、
前記組み立て式ブロック玩具セットは、多数の五角ブロック（２００）で構成されており、請求項１〜５のいずれか一項に記載の四角ブロック（１００）を含んでおり、
前記五角ブロック（２００）は、一定の高さの正五角柱形状の胴体部（２１０）、前記胴体部（２１０）各辺の外側面の一方に形成される５つの第１結合部（２２０）、前記胴体部（２１０）各辺の外側面の他方に形成される５つの第２結合部（２３０）、前記胴体部（２１０）の上面に形成される複数個の上下結合突起（２４０）、前記胴体部（２１０）の下面に形成される複数個の上下結合溝（２５０）、前記胴体部（２１０）の中央に形成される十字軸挿入孔（２６０）、前記十字軸挿入孔（２６０）を除いた胴体部（２１０）に形成される複数個の結合部挿入孔（２７０）、及び前記胴体部（２１０）の上、下面に胴体部（２１０）の縁部に沿って胴体部（２１０）内側に長く形成される一字溝（２８０）を含み、
前記第１結合部（２２０）は、他の四角ブロック（１００）または五角ブロック（２００）の第２結合部（１３０、２３０）が挿入されるように、互いに対称で離隔設置される二字型結合片（２２４）、前記二字型結合片（２２４）の内側壁に対称で形成される突起（２２５）、及び前記二字型結合片（２２４）の外側壁に対称で形成される突起（２２６）を含み、前記第２結合部（２３０）は、他の四角ブロック（１００）または五角ブロック（２００）の第１結合部（１２０、２２０）に挿入され、かつ上端面に上下方向に９面角部（２３６）を有する一字型結合片（２３５）、及び前記一字型結合片（２３５）の外側壁に対称で形成される溝（２３７）を含むことを特徴とする組み立て式ブロック玩具セット。
【請求項９】
前記十字軸挿入孔（２６０）を除いた胴体部（２１０）に形成される複数個の結合部挿入孔（２７０）は、他の四角ブロック（１００）または五角ブロック（２００）の第１結合部（１２０、２２０）の結合片（１２１、１２４、２２１、２２４）、第２結合部（１３０、２３０）の結合片（１３１、１３３、１３５、２３１、２３３、２３５）が立てられて直交挿入されるように形成され、他の四角ブロック（１００）または五角ブロック（２００）の第１結合部（１２０、２２０）の結合片（１２１、１２４、２２１、２２４）が挿入されている複数個の正四角形挿入孔（２７１）、及び他の四角ブロック（１００）または五角ブロック（２００）の第２結合部（１３０、２３０）の結合片（１３１、１３３、１３５、２３１、２３３、２３５）が挿入される複数個のＸ字型挿入孔（２７２）を含むことを特徴とする、請求項６〜８のいずれか一項に記載の組み立て式ブロック玩具セット。
【請求項１０】
前記胴体部（２１０）各辺の外側面の中央には、他の四角ブロック（１００）または五角ブロック（２００）の胴体部（１１０、２１０）側面が立てられ直交結合されるように、互いに離隔設置される一対の結合片（２９１）を有する第３結合部（２９０）が形成されて、前記第３結合部（２９０）の結合片（２９１）は第１、２結合部（２２０、２３０）の結合片（２２１、２２４、２３１、２３３、２３５）より短く形成されて、前記第３結合部（２９０）の結合片（２９１）の内側面には突起（２９２）が形成されて、前記突起（２９２）中の一つは内側面の上側に形成され、他の一つは内側面の下側に形成されて、
前記胴体部（２１０）上面各辺の一字溝（２８０）の中央から一方に偏って側面直交結合溝（２８１）が形成されて、前記胴体部（２１０）下面の各辺の一字溝（２８０）の中央から他方に偏って側面直交結合溝（２８１）が形成されて、一つの五角ブロック（２００）の胴体部（２１０）側面に他の四角ブロック（１００）または五角ブロック（２００）の胴体部（１１０、２１０）側面が立てられて直交結合されるとき、前記第３結合部（２９０）の結合片（２９１）の内側面に形成された突起（２９２）中の一つは他の四角ブロック（１００）または五角ブロック（２００）の胴体部（１１０、２１０）上面の側面直交結合溝（１８１、２８１）に挿入されて、他の一つは他の四角ブロック（１００）または五角ブロック（２００）の胴体部（１１０、２１０）下面の側面直交結合溝（１８１、２８１）に挿入されることを特徴とする、請求項６〜８のいずれか一項に記載の組み立て式ブロック玩具セット。
【請求項１１】
組み立て式ブロック玩具セットにおいて、
前記組み立て式ブロック玩具セットは、多数の三角ブロック（３００）で構成されており、請求項１〜５のいずれか一項に記載の四角ブロック（１００）と、請求項６〜１０のいずれか一項に記載の五角ブロック（２００）とを含んでおり、
前記三角ブロック（３００）は、一定の高さの正三角柱形状の胴体部（３１０）、前記胴体部（３１０）各辺の外側面の一方に形成される３つの第１結合部（３２０）、前記胴体部（３１０）各辺の外側面の他方に形成される３つの第２結合部（３３０）、前記胴体部（３１０）の上面に形成される複数個の上下結合突起（３４０）、前記胴体部（３１０）の下面に形成される複数個の上下結合溝（３５０）、前記胴体部（３１０）の中央に形成される十字軸挿入孔（３６０）、及び前記胴体部（３１０）の上、下面に胴体部（３１０）の縁部に沿って胴体部（３１０）内側に長く形成される一字溝（３７０）を含み、
前記第１結合部（３２０）は、他の四角ブロック（１００）、五角ブロック（２００）または三角ブロック（３００）の第２結合部（１３０、２３０、３３０）が挿入されるように、互いに対称で離隔設置される二字型結合片（３２１）、前記二字型結合片（３２１）の内側壁に対称で形成される溝（３２２）、及び前記二字型結合片（３２１）の外側壁に対称で形成される突起（３２３）を含み、前記第２結合部（３３０）は、他の四角ブロック（１００）、五角ブロック（２００）または三角ブロック（３００）の第１結合部（１２０、２２０、３２０）に挿入されるＨ字型結合片（３３１）、及び前記Ｈ字型結合片（３３１）の外側上端に対称で形成される突起（３３２）を含むことを特徴とする組み立て式ブロック玩具セット。
【請求項１２】
組み立て式ブロック玩具セットにおいて、
前記組み立て式ブロック玩具セットは、多数の三角ブロック（３００）で構成されており、請求項１〜５のいずれか一項に記載の四角ブロック（１００）と、請求項６〜１０のいすれか一項に記載の五角ブロック（２００）とを含んでおり、
前記三角ブロック（３００）は、一定の高さの正三角柱形状の胴体部（３１０）、前記胴体部（３１０）各辺の外側面の一方に形成される３つの第１結合部（３２０）、前記胴体部（３１０）各辺の外側面の他方に形成される３つの第２結合部（３３０）、前記胴体部（３１０）の上面に形成される複数個の上下結合突起（３４０）、前記胴体部（３１０）の下面に形成される複数個の上下結合溝（３５０）、前記胴体部（３１０）の中央に形成される十字軸挿入孔（３６０）、及び前記胴体部（３１０）の上、下面に胴体部（３１０）の縁部に沿って胴体部（３１０）内側に長く形成される一字溝（３７０）を含み、
前記第１結合部（３２０）は、他の四角ブロック（１００）、五角ブロック（２００）または三角ブロック（３００）の第２結合部（１３０、２３０、３３０）が挿入されるように、互いに対称で離隔設置される二字型結合片（３２１）、前記二字型結合片（３２１）の内側壁に対称で形成される溝（３２２）、及び前記二字型結合片（３２１）の外側壁に対称で形成される突起（３２３）を含み、前記第２結合部（２３０）は、他の四角ブロック（１００）、五角ブロック（２００）または三角ブロック（３００）の第１結合部（１２０、２２０、３２０）に挿入される一字型結合片（３３３）、及び前記一字型結合片（３３３）の外側壁に対称で形成される突起（３３４）を含むことを特徴とする組み立て式ブロック玩具セット。
【請求項１３】
組み立て式ブロック玩具セットにおいて、
前記組み立て式ブロック玩具セットは、多数の三角ブロック（３００）で構成されており、請求項１〜５のいすれか一項に記載の四角ブロック（１００）と、請求項６〜１０のいずれか一項に記載の五角ブロック（２００）とを含んでおり、
前記三角ブロック（３００）は、一定の高さの正三角柱形状の胴体部（３１０）、前記胴体部（３１０）各辺の外側面の一方に形成される３つの第１結合部（３２０）、前記胴体部（３１０）各辺の外側面の他方に形成される３つの第２結合部（３３０）、前記胴体部（３１０）の上面に形成される複数個の上下結合突起（３４０）、前記胴体部（３１０）の下面に形成される複数個の上下結合溝（３５０）、前記胴体部（３１０）の中央に形成される十字軸挿入孔（３６０）、及び前記胴体部（３１０）の上、下面に胴体部（３１０）の縁部に沿って胴体部（３１０）内側に長く形成される一字溝（３７０）を含み、
前記第１結合部（３２０）は、他の四角ブロック（１００）、五角ブロック（２００）または三角ブロック（３００）の第２結合部（１３０、２３０、３３０）が挿入されるように、互いに対称で離隔設置される二字型結合片（３２４）、前記二字型結合片（３２４）の内側壁に対称で形成される突起（３２５）、及び前記二字型結合片（３２４）の外側壁に対称で形成される突起（３２６）を含み、前記第２結合部（２３０）は、他の四角ブロック（１００）、五角ブロック（２００）または三角ブロック（３００）の第１結合部（１２０、２２０、３２０）に挿入され、かつ上端面に上下方向に９面角部（３３６）を有する一字型結合片（３３５）、及び前記一字型結合片（３３５）の外側壁に対称で形成される溝（３３７）を含むことを特徴とする組み立て式ブロック玩具セット。
【請求項１４】
前記胴体部（３１０）各辺の外側面の中央には、他の四角ブロック（１００）、五角ブロック（２００）または三角ブロック（３００）の胴体部（１１０、２１０、３１０）側面が立てられて直交結合されるように、互いに離隔設置される一対の結合片（３８１）を有する第３結合部（３８０）が形成され、前記第３結合部（３８０）の結合片（３８１）は第１、２結合部（３２０、３３０）の結合片（３２１、３２４、３３１、３３３、３３５）より短く形成され、前記第３結合部（３８０）の結合片（３８１）の内側面には突起（３８２）が形成され、前記突起（３８２）中の一つは内側面の上側に形成され、他の一つは内側面の下側に形成され、
前記胴体部（３１０）上面各辺の一字溝（３７０）の中央から一方に偏って側面直交結合溝（３７１）が形成され、前記胴体部（３１０）下面各辺の一字溝（３７０）の中央から他方に偏って側面直交結合溝（３７１）が形成されて、一つの三角ブロック（３００）の胴体部（３１０）側面に他の四角ブロック（１００）、五角ブロック（２００）または三角ブロック（３００）の胴体部（１１０、２１０、３１０）側面が立てられて直交結合されるとき、前記第３結合部（３８０）の結合片（３８１）の内側面に形成された突起（３８２）中の一つは、他の四角ブロック（１００）、五角ブロック（２００）または三角ブロック（３００）の胴体部（１１０、２１０、３１０）上面の側面直交結合溝（１８１、２８１、３７１）に挿入されて、他の一つは、他の四角ブロック（１００）、五角ブロック（２００）または三角ブロック（３００）の胴体部（１１０、２１０、３１０）下面の側面直交結合溝（１８１、２８１、３７１）に挿入されることを特徴とする、請求項１１〜１３のいすれか一項に記載の組み立て式ブロック玩具セット。
【発明の詳細な説明】
【技術分野】
【０００１】
本発明は、組み立て式ブロック玩具セットに関し、より詳細には、ブロック間の水平結合、垂直結合、上下結合などと、様々な合体結合が可能で、多様な模型に組み立てが可能な組み立て式ブロック玩具セットに関する。
【背景技術】
【０００２】
主に、プラスチック製の小さなブロックを組立てて、所望の立体形状を作成して楽しむ玩具のことをブロック玩具と言うが、ブロック玩具には、多数個のブロックがセット状で構成されている。
【０００３】
ブロック玩具には、各ブロックに形成された突起と溝とを互いに嵌合させる結合構造を有する組み立て式ブロック玩具が市販されているが、組み立ての時、各ブロックの突起と溝との位置をいちいち一致させて力を入れて嵌合せねばならなく、一旦組み立てが終わると、他の立体形状を作るために、各ブロックを分解することも容易でない不便さがある。
【０００４】
一方、ブロック内部に磁石を装着して、各ブロックを互いに近づけるだけで、磁力によってブロック間の簡単な接合が行われるようにする、磁石が内蔵されたブロック玩具も市販されているが、磁石が内蔵されたブロック玩具は、磁石を利用することで、便利にブロックを相互接合させることができ、組み立て後の分解も容易な利点はあるが、ほとんどのブロックの縁部がラウンドエッジ処理されて、各ブロック間の接合が丈夫ではなく、立体形状に組み立てられた後、少しの衝撃が加えられても、その形状が崩れてしまう短所がある。
【０００５】
最近では、各ブロックに形成された突起と溝を相互嵌合させる結合構造を有する代わりに、様々な形状の結合部を設けて、組み立てが容易でかつ、各ブロック間の結合が頑丈になるようにするブロック玩具も開発されているが、ブロック玩具を使用している子供たちの創意力を考慮するためには、ブロック間の水平結合、垂直結合、上下結合など、できるだけ多い方法により合体結合が可能で、より多様な模型に組み立てが可能な組み立て式ブロック玩具セットを開発する必要がある。
【先行技術文献】
【特許文献】
【０００６】
【特許文献１】大韓民国登録特許第１２６１０１５号
【発明の概要】
【発明が解決しようとする課題】
【０００７】
本発明は、ブロック間の水平結合、垂直結合、上下結合などと、様々な合体結合が可能であり、より多様な模型に組み立てが可能な組み立て式ブロック玩具セットを提供することを目的とする。
【課題を解決するための手段】
【０００８】
本発明による組み立て式ブロック玩具セットは、多数の四角ブロック（１００）で構成されており、前記四角ブロック１００は、一定の高さの正四角柱形状の胴体部１１０、前記胴体部１１０各辺の外側面の一方に形成される４つの第１結合部１２０、前記胴体部１１０各辺の外側面の他方に形成される４つの第２結合部１３０、前記胴体部１１０の上面に形成される複数個の上下結合突起１４０、前記胴体部１１０の下面に形成される複数個の上下結合溝１５０、前記胴体部１１０の中央に形成される十字軸挿入孔１６０、前記十字軸挿入孔１６０を除く胴体部１１０に形成される複数個の結合部挿入孔１７０、及び前記胴体部１１０の上、下面に胴体部１１０の縁部に沿って胴体部１１０内側に長く形成される一字溝１８０を含み、前記第１結合部１２０は、他の四角ブロック１００の第２結合部１３０が挿入できるように、互いに対称で離隔設置される二字型結合片１２１、前記二字型結合片１２１の内側壁に対称で形成される溝１２２、及び前記二字型結合片１２１の外側壁に対称で形成される突起１２３を含み、前記第２結合部１３０は、他の四角ブロック１００の第１結合部１２０に挿入できるＨ字型結合片１３１、及び前記Ｈ字型結合片１３１の外側上端に対称で形成される突起１３２を含むことを特徴とする。
【０００９】
本発明による組み立て式ブロック玩具セットは、多数の四角ブロック１００で構成されており、前記四角ブロック１００は、一定の高さの正四角柱形状の胴体部１１０、前記胴体部１１０各辺の外側面の一方に形成される４つの第１結合部１２０、前記胴体部１１０各辺の外側面の他方に形成される４つの第２結合部１３０、前記胴体部１１０の上面に形成される複数個の上下結合突起１４０、前記胴体部１１０の下面に形成される複数個の上下結合溝１５０、前記胴体部１１０の中央に形成される十字軸挿入孔１６０、前記十字軸挿入孔１６０を除く胴体部１１０に形成される複数個の結合部挿入孔１７０、及び前記胴体部１１０の上、下面に胴体部１１０の縁部に沿って胴体部１１０内側に長く形成される一字溝１８０を含み、前記第１結合部１２０は、他の四角ブロック１００の第２結合部１３０が挿入されるように、互いに対称で離隔設置される二字型結合片１２１、前記二字型結合片１２１の内側壁に対称で形成される溝１２２、及び前記二字型結合片１２１の外側壁に対称で形成される突起１２３を含み、前記第２結合部１３０は、他の四角ブロック１００の第１結合部１２０に挿入できる一字型結合片１３３、及び前記一字型結合片１３３の外側壁に対称で形成される突起１３４を含むことを特徴とする。
【００１０】
本発明による組み立て式ブロック玩具セットは、多数の四角ブロック１００で構成されており、前記四角ブロック１００は、一定の高さの正四角柱形状の胴体部１１０、前記胴体部１１０各辺の外側面の一方に形成される４つの第１結合部１２０、前記胴体部１１０各辺の外側面の他方に形成される４つの第２結合部１３０、前記胴体部１１０の上面に形成される複数個の上下結合突起１４０、前記胴体部１１０の下面に形成される複数個の上下結合溝１５０、前記胴体部１１０の中央に形成される十字軸挿入孔１６０、前記十字軸挿入孔１６０を除く胴体部１１０に形成される複数個の結合部挿入孔１７０、及び前記胴体部１１０の上、下面に胴体部１１０の縁部に沿って胴体部１１０内側に長く形成される一字溝１８０を含み、前記第１結合部１２０は、他の四角ブロック１００の第２結合部１３０が挿入されるように、互いに対称で離隔設置される二字型結合片１２４、前記二字型結合片１２４の内側壁に対称で形成される突起１２５、及び前記二字型結合片１２４の外側壁に対称で形成される突起１２６を含み、前記第２結合部１３０は、他の四角ブロック１００の第１結合部１２０に挿入されることができ、かつ上端面に上下方向に９面角部１３６を有する一字型結合片１３５、及び前記一字型結合片１３５の外側壁に対称で形成される溝１３７を含むことを特徴とする。
【００１１】
また、前記十字軸挿入孔１６０を除いた胴体部１１０に形成される複数個の結合部挿入孔１７０は、他の四角ブロック１００の第１結合部１２０の結合片１２１、１２４、第２結合部１３０の結合片１３１、１３３、１３５が立てられて直交挿入されるように形成されて、他の四角ブロック１００の第１結合部１２０の結合片１２１、１２４が挿入される複数個の正方形挿入孔１７１、及び他の四角ブロック１００の第２結合部１３０の結合片１３１、１３３、１３５が挿入される複数個のＸ字型挿入孔１７２を含むことを特徴とする。
【００１２】
また、前記胴体部１１０各辺の外側面の中央には、他の四角ブロック１００の胴体部１１０の側面が立てられ直交結合されるように、互いに対称で離隔設置される一対の結合片１９１を有する第３結合部１９０が形成されて、前記第３結合部１９０の結合片１９１は第１、２結合部１２０、１３０の結合片１２１、１３１より短く形成されて、前記第３結合部１９０の結合片１９１の内側面には突起１９２が形成されて、前記突起１９２の中の一つは内側面の上側に形成されて、他の一つは内側面の下側に形成され、前記胴体部１１０上面各辺の一字溝１８０の中央から一方に偏って側面直交結合溝１８１が形成され、前記胴体部１１０下面各辺の一字溝１８０の中央から他方に偏って側面直交結合溝１８１が形成されて、一つの四角ブロック１００の胴体部１１０側面に他の四角ブロック１００の胴体部１１０側面が立てられ直交結合されるとき、前記第３結合部１９０の結合片１９１の内側面に形成された突起１９２の中の一つは他の四角ブロック１００の胴体部１１０上面の側面直交結合溝１８１に挿入され、他の一つは他の四角ブロック１００の胴体部１１０下面の側面直交結合溝１８１に挿入されることを特徴とする。
【００１３】
本発明による組み立て式ブロック玩具セットは、多数の五角ブロック２００で構成されており、多数の四角ブロック１００を含むことができ、前記五角ブロック２００は、一定の高さの正五角柱形状の胴体部２１０、前記胴体部２１０各辺の外側面の一方に形成される５つの第１結合部２２０、前記胴体部２１０各辺の外側面の他方に形成される５つの第２結合部２３０、前記胴体部２１０の上面に形成される複数個の上下結合突起２４０、前記胴体部２１０の下面に形成される複数個の上下結合溝２５０、前記胴体部２１０の中央に形成される十字軸挿入孔２６０、前記十字軸挿入孔２６０を除いた胴体部２１０に形成される複数個の結合部挿入孔２７０、及び前記胴体部２１０の上、下面に胴体部２１０の縁部に沿って胴体部２１０内側に長く形成される一字溝２８０を含み、前記第１結合部２２０は、他の四角ブロック１００または五角ブロック２００の第２結合部１３０、２３０が挿入されるように、互いに対称で離隔設置される二字型結合片２２１、前記二字型結合片２２１の内側壁に対称で形成される溝２２２、及び前記二字型結合片２２１の外側壁に対称で形成される突起２２３を含み、前記第２結合部２３０は、他の四角ブロック１００または五角ブロック２００の第１結合部１２０、２２０に挿入されるＨ字型結合片２３１、及び前記Ｈ字型結合片２３１の外側上端に対称で形成される突起２３２を含むことを特徴とする。
【００１４】
本発明による組み立て式ブロック玩具セットは、多数の五角ブロック２００で構成されており、多数の四角ブロック１００を含むことができ、前記五角ブロック２００は、一定の高さの正五角柱形状の胴体部２１０、前記胴体部２１０各辺の外側面の一方に形成される５つの第１結合部２２０、前記胴体部２１０各辺の外側面の他方に形成される５つの第２結合部２３０、前記胴体部２１０の上面に形成される複数個の上下結合突起２４０、前記胴体部２１０の下面に形成される複数個の上下結合溝２５０、前記胴体部２１０中央に形成される十字軸挿入孔２６０、前記十字軸挿入孔２６０を除いた胴体部２１０に形成される複数個の結合部挿入孔２７０、及び前記胴体部２１０の上、下面に胴体部２１０の縁部に沿って胴体部２１０内側に長く形成される一字溝２８０を含み、前記第１結合部２２０は、他の四角ブロック１００または五角ブロック２００の第２結合部１３０、２３０が挿入されるように、互いに対称で離隔設置される二字型結合片２２１、前記二字型結合片２２１の内側壁に対称で形成される溝２２２、及び前記二字型結合片２２１の外側壁に対称で形成される突起２２３を含み、前記第２結合部２３０は、他の四角ブロック１００または五角ブロック２００の第１結合部１２０、２２０に挿入されている一字型結合片２３３、及び前記一字型結合片２３３の外側壁に対称で形成される突起２３４を含むことを特徴とする。
【００１５】
本発明による組み立て式ブロック玩具セットは、多数の五角ブロック２００で構成されており、多数の四角ブロック１００を含むことができ、前記五角ブロック２００は、一定の高さの正五角柱形状の胴体部２１０、前記胴体部２１０各辺の外側面の一方に形成される５つの第１結合部２２０、前記胴体部２１０各辺の外側面の他方に形成される５つの第２結合部２３０、前記胴体部２１０の上面に形成される複数個の上下結合突起２４０、前記胴体部２１０の下面に形成される複数個の上下結合溝２５０、前記胴体部２１０の中央に形成される十字軸挿入孔２６０、前記十字軸挿入孔２６０を除いた胴体部２１０に形成される複数個の結合部挿入孔２７０、及び前記胴体部２１０の上、下面に胴体部２１０の縁部に沿って胴体部２１０内側に長く形成される一字溝２８０を含み、前記第１結合部２２０は、他の四角ブロック１００または五角ブロック２００の第２結合部１３０、２３０が挿入されるように、互いに対称で離隔設置される二字型結合片２２４、前記二字型結合片２２４の内側壁に対称で形成される突起２２５、及び前記二字型結合片２２４の外側壁に対称で形成される突起２２６を含み、前記第２結合部２３０は、他の四角ブロック１００または五角ブロック２００の第１結合部１２０、２２０に挿入されることができ、かつ上端面に上下方向に９面角部２３６を有する一字型結合片２３５、及び前記一字型結合片２３５の外側壁に対称で形成される溝２３７を含むことを特徴とする。
【００１６】
また、前記十字軸挿入孔２６０を除いた胴体部２１０に形成される複数個の結合部挿入孔２７０は、他の四角ブロック１００または五角ブロック２００の第１結合部１２０、２２０の結合片１２１、１２４、２２１、２２４、第２結合部１３０、２３０の結合片１３１、１３３、１３５、２３１、２３３、２３５が立てられ直交挿入されるように形成され、他の四角ブロック１００または五角ブロック２００の第１結合部１２０、２２０の結合片１２１、１２４、２２１、２２４が挿入されている複数個の正四角形挿入孔２７１、及び他の四角ブロック１００または五角ブロック２００の第２結合部１３０、２３０の結合片１３１、１３３、１３５、２３１、２３３、２３５が挿入され得る複数個のＸ字型挿入孔２７２を含むことを特徴とする。
【００１７】
また、前記胴体部２１０各辺の外側面の中央には、他の四角ブロック１００または五角ブロック２００の胴体部１１０、２１０側面が立てられて直交結合されるように、互いに離隔設置される一対の結合片２９１を有する第３結合部２９０が形成されて、前記第３結合部２９０の結合片２９１は第１、２結合部２２０、２３０の結合片２２１、２２４、２３１、２３３、２３５より短く形成され、前記第３結合部２９０の結合片２９１の内側面には突起２９２が形成されて、前記突起２９２中の一つは内側面上側に形成されて、他の一つは内側面下側に形成され、前記胴体部２１０上面各辺の一字溝２８０の中央から一方に偏って側面直交結合溝２８１が形成されて、前記胴体部２１０下面各辺の一字溝２８０の中央から他方に偏って側面直交結合溝２８１が形成されて、一つの五角ブロック２００の胴体部２１０側面に他の四角ブロック１００または五角ブロック２００の胴体部１１０、２１０側面が立てられ直交結合されるとき、前記第３結合部２９０の結合片２９１の内側面に形成された突起２９２の中の一つは、他の四角ブロック１００または五角ブロック２００の胴体部１１０、２１０上面の側面直交結合溝１８１、２８１に挿入されて、他の一つは他の四角ブロック１００または五角ブロック２００の胴体部１１０、２１０下面の側面直交結合溝１８１、２８１に挿入されることを特徴とする。
【００１８】
本発明による組み立て式ブロック玩具セットは、多数の三角ブロック３００で構成されており、多数の四角ブロック１００と五角ブロック２００とを含むことができ、前記三角ブロック３００は、一定の高さの正三角柱形状の胴体部３１０、前記胴体部３１０各辺の外側面の一方に形成される３つの第１結合部３２０、前記胴体部３１０各辺の外側面の他方に形成される３つの第２結合部３３０、前記胴体部３１０の上面に形成される複数個の上下結合突起３４０、前記胴体部３１０の下面に形成される複数個の上下結合溝３５０、前記胴体部３１０の中央に形成される十字軸挿入孔３６０、及び前記胴体部３１０の上、下面に胴体部３１０の縁部に沿って胴体部３１０内側に長く形成される一字溝３７０を含み、前記第１結合部３２０は、他の四角ブロック１００、五角ブロック２００または三角ブロック３００の第２結合部１３０、２３０、３３０が挿入されるように、互いに対称で離隔設置される二字型結合片３２１、前記二字型結合片３２１の内側壁に対称で形成される溝３２２、及び前記二字型結合片３２１の外側壁に対称で形成される突起３２３を含み、前記第２結合部３３０は、他の四角ブロック１００、五角ブロック２００または三角ブロック３００の第１結合部１２０、２２０、３２０に挿入されるＨ字型結合片３３１、及び前記Ｈ字型結合片３３１の外側上端に対称で形成される突起３３２を含むことを特徴とする。
【００１９】
本発明による組み立て式ブロック玩具セットは、多数の三角ブロック３００で構成されており、多数の四角ブロック１００と五角ブロック２００とを含むことができ、前記三角ブロック３００は、一定の高さの正三角柱形状の胴体部３１０、前記胴体部３１０各辺の外側面の一方に形成される３つの第１結合部３２０、前記胴体部３１０各辺の外側面の他方に形成される３つの第２結合部３３０、前記胴体部３１０の上面に形成される複数個の上下結合突起３４０、前記胴体部３１０の下面に形成される複数個の上下結合溝３５０、前記胴体部３１０の中央に形成される十字軸挿入孔３６０、及び前記胴体部３１０の上、下面に胴体部３１０の縁部に沿って胴体部３１０内側に長く形成される一字溝３７０を含み、前記第１結合部３２０は、他の四角ブロック１００、五角ブロック２００または三角ブロック３００の第２結合部１３０、２３０、３３０が挿入されるように、互いに対称で離隔設置される二字型結合片３２１、前記二字型結合片３２１の内側壁に対称で形成される溝３２２、及び前記二字型結合片３２１の外側壁に対称で形成される突起３２３を含み、前記第２結合部２３０は、他の四角ブロック１００、五角ブロック２００または三角ブロック３００の第１結合部１２０、２２０、３２０に挿入される一字型結合片３３３、及び前記一字型結合片３３３の外側壁に対称で形成される突起３３４を含むことを特徴とする。
【００２０】
本発明による組み立て式ブロック玩具セットは、多数の三角ブロック３００で構成されており、多数の四角ブロック１００と五角ブロック２００とを含むことができ、前記三角ブロック３００は、一定の高さの正三角柱形状の胴体部３１０、前記胴体部３１０各辺の外側面の一方に形成される３つの第１結合部３２０、前記胴体部３１０各辺の外側面の他方に形成される３つの第２結合部３３０、前記胴体部３１０の上面に形成される複数個の上下結合突起３４０、前記胴体部３１０の下面に形成される複数個の上下結合溝３５０、前記胴体部３１０の中央に形成される十字軸挿入孔３６０、及び前記胴体部３１０の上、下面に胴体部３１０の縁部に沿って胴体部３１０内側に長く形成される一字溝３７０を含み、前記第１結合部３２０は他の四角ブロック１００、五角ブロック２００または三角ブロック３００の第２結合部１３０、２３０、３３０が挿入されるように、互いに対称で離隔設置される二字型結合片３２４、前記二字型結合片３２４の内側壁に対称で形成される突起３２５、及び前記二字型結合片３２４の外側壁に対称で形成される突起３２６を含み、前記第２結合部２３０は他の四角ブロック１００、五角ブロック２００または三角ブロック３００の第１結合部１２０、２２０、３２０に挿入され、かつ上端面に上下方向に９面角部３３６を有する一字型結合片３３５、及び前記一字型結合片３３５の外側壁に対称で形成される溝３３７を含むことを特徴とする。
【００２１】
また、前記胴体部３１０各辺の外側面の中央には他の四角ブロック１００、五角ブロック２００または三角ブロック３００の胴体部１１０、２１０、３１０側面が立てられ直交結合されるように、互いに離隔設置される一対の結合片３８１を有する第３結合部３８０が形成されて、前記第３結合部３８０の結合片３８１は第１、２結合部３２０、３３０の結合片３２１、３２４、３３１、３３３、３３５より短く形成されて、前記第３結合部３８０の結合片３８１の内側面には突起３８２が形成されて、前記突起３８２中の一つは内側面上側に形成されて、他の一つは内側面下側に形成されて、前記胴体部３１０上面各辺の一字溝３７０の中央から一方に偏って側面直交結合溝３７１が形成されて、前記胴体部３１０下面各辺の一字溝３７０の中央から他方に偏って側面直交結合溝３７１が形成されて、一つの三角ブロック３００の胴体部３１０側面に他の四角ブロック１００、五角ブロック２００または三角ブロック３００の胴体部１１０、２１０、３１０側面が立てられ直交結合されるとき、前記第３結合部３８０の結合片３８１の内側面に形成された突起３８２中の一つは他の四角ブロック１００、五角ブロック２００または三角ブロック３００の胴体部１１０、２１０、３１０上面の側面直交結合溝１８１、２８１、３７１に挿入されて、他の一つは他の四角ブロック１００、五角ブロック２００または三角ブロック３００の胴体部１１０、２１０、３１０下面の側面直交結合溝１８１、２８１、３７１に挿入されることを特徴とする。
【発明の効果】
【００２２】
本発明による組み立て式ブロック玩具セットは、ブロック間の水平結合、垂直結合、上下結合などと、様々な合体結合が可能であり、より多様な模型に組み立てが可能な効果がある。
【００２３】
また、本発明による組み立て式ブロック玩具セットは、ブロック間の水平結合、垂直結合、上下結合と、様々な合体結合時、ブロック間に安定した結合が行われ、ブロックを利用して頑丈で多様な立体形状を作ることができる効果がある。
【図面の簡単な説明】
【００２４】
【図１】図１は、本発明による四角ブロックの斜視図である。
【図２】図２は、本発明による四角ブロックの平面図である。
【図３】図３は、他の十字軸挿入孔を有する本発明による四角ブロックの平面図である。
【図４】図４は、本発明による四角ブロックの他の平面図である。
【図５】図５は、本発明による四角ブロックのまた他の平面図である。
【図６】図６は、図５の第２結合部に形成される９面角部の側面図である。
【図７】図７は、図５の四角ブロックとして、一つの四角ブロックに他の四角ブロックが多様な結合角度で結合可能であるようになることを示す図面である。
【図８】図８は、本発明による五角ブロックの斜視図である。
【図９】図９は、本発明による五角ブロックの平面図である。
【図１０】図１０は、本発明による三角ブロックの斜視図である。
【図１１】図１１は、本発明による三角ブロックの下面の平面図である。
【図１２】図１２は、本発明による四角ブロック間の水平結合を示す図面である。
【図１３】図１３は、本発明による四角ブロック間の垂直結合を示す図面である。
【図１４】図１４は、本発明による四角ブロック間の上下結合を示す図面である。
【図１５】図１５は、本発明による四角ブロック間の結合部の挿入孔の垂直結合を示す図面である。
【図１６】図１６は、本発明による四角ブロック間の側面直交結合を示す図面である。
【図１７】図１７は、本発明による四角ブロックと五角ブロック間の結合を示す図面である。
【図１８】図１８は、本発明による四角ブロックと三角ブロック間の結合を示す図面である。
【図１９】図１９は、本発明による四角ブロック、五角ブロック、三角ブロック間の結合を示す図面である。
【発明を実施するための形態】
【００２５】
以下、本発明の実施例について添付した図面を参照して詳しく説明する。
【００２６】
＜実施例１＞
図１は、本発明による四角ブロックの斜視図であり、図２は、本発明による四角ブロックの平面図であり、図３は、他の十字軸挿入孔を有する本発明による四角ブロックの平面図である。
【００２７】
図１、２に示すように、本発明による組み立て式ブロック玩具セットは、多数の四角ブロック１００で構成されており、前記四角ブロック１００は、一定の高さの正四角柱形状の胴体部１１０、前記胴体部１１０各辺の外側面の一方に形成される４つの第１結合部１２０、前記胴体部１１０各辺の外側面の他方に形成される４つの第２結合部１３０、前記胴体部１１０の上面に形成される複数個の上下結合突起１４０、前記胴体部１１０の下面に形成される複数個の上下結合溝１５０、前記胴体部１１０の中央に形成される十字軸挿入孔１６０、前記十字軸挿入孔１６０を除いた胴体部１１０に形成される複数個の結合部挿入孔１７０、及び前記胴体部１１０の上、下面に胴体部１１０の縁部に沿って胴体部１１０内側に長く形成される一字溝１８０を含む。
【００２８】
前記第１結合部１２０は、他の四角ブロック１００の第２結合部１３０が挿入されるように、互いに対称で離隔設置される二字型結合片１２１、前記二字型結合片１２１の内側壁に対称で形成される溝１２２、及び前記二字型結合片１２１の外側壁に対称で形成される突起１２３を含み、前記第２結合部１３０は、他の四角ブロック１００の第１結合部１２０に挿入されているＨ字型結合片１３１、及び前記Ｈ字型結合片１３１の外側上端に対称で形成される突起１３２を含み、一つの四角ブロック１００の第１結合部１２０、第２結合部１３０に他の四角ブロック１００の第２結合部１３０、第１結合部１２０がそれぞれ結合されて、第１結合部１２０の溝１２２に第２結合部１３０の突起１３２が挿入された状態で、溝１２２と突起１３２を中心に回動可能になる。
【００２９】
前記上下結合突起１４０は、胴体部１１０上面中央に対称で複数個の小さな円柱形突起に形成されて、前記上下結合溝１５０は、他の四角ブロック１００の上下結合突起１４０が挿入されるように胴体部１１０下面中央に対称で複数個の小さな円柱形溝に形成される。
【００３０】
前記十字軸挿入孔１６０は、胴体部１１０中央に十字形状または円筒形状に形成されて、前記十字軸挿入孔１６０には、四角ブロック１００とは別の十字軸４００が挿入される。前記十字軸挿入孔１６０が十字形状に形成されると、十字軸挿入孔１６０に十字軸４００が挿入されて回転するとき、十字軸４００と四角ブロック１００が共に回転されて、前記十字軸挿入孔１６０が円筒形状に形成されると、十字軸挿入孔１６０に十字軸４００が挿入されて回転しても、十字軸４００のみ回転し、四角ブロック１００は回転しない。
【００３１】
前記十字軸挿入孔１６０を除いた胴体部１１０に形成される複数個の結合部挿入孔１７０は、他の四角ブロック１００の第１結合部１２０の結合片１２１、第２結合部１３０の結合片１３１が立てられて直交挿入されるように形成されて、他の四角ブロック１００の第１結合部１２０の結合片１２１が挿入されている複数個の正四角形挿入孔１７１、及び他の四角ブロック１００の第２結合部１３０の結合片１３１が挿入されている複数個のＸ字型の挿入孔１７２を含む。結合片１２１、１３１の外側には突起１２３、１３２が形成されて、結合片１２１、１３１が結合部挿入孔１７０に弾力的に直交挿入されている。
【００３２】
前記結合部挿入孔１７０は、十字軸挿入孔１６０の上端に３つ、十字軸挿入孔１６０左、右に各１つ、十字軸挿入孔１６０の下端に３つが格子形状に形成されており、このように形成された結合部挿入孔１７０には、他の四角ブロック１００の第１結合部１２０、第２結合部１３０が６種の形態で結合可能になる（図１５参照）。
【００３３】
前記結合部挿入孔１７０の上、下、左、右には、他の四角ブロック１００の第１結合部１２０、第２結合部１３０が容易に挿入されて、弾力的に結合されるように挿入溝１７３が形成されている。
【００３４】
前記胴体部１１０各辺の外側面の中央には、他の四角ブロック１００の胴体部１１０側面が立てられて直交結合されるように、互いに対称で離隔設置される一対の結合片１９１を有する第３結合部１９０が形成されている。前記第３結合部１９０の結合片１９１は第１、２結合部１２０、１３０の結合片１２１、１３１より短く形成され、前記第３結合部１９０の結合片１９１の内側面には突起１９２が形成されて、前記突起１９２中の一つは内側面上側に形成され、他の一つは内側面下側に形成される。
【００３５】
前記胴体部１１０上面各辺の一字溝１８０の中央から一方に少し偏って側面直交結合溝１８１が形成されて、前記胴体部１１０下面各辺の一字溝１８０の中央から他方に少し偏って側面直交結合溝１８１が形成されることができ、一つの四角ブロック１００の胴体部１１０側面に他の四角ブロック１００の胴体部１１０側面が立てられて直交結合されるとき、前記第３結合部１９０の結合片１９１の内側面に形成された突起１９２中の一つは、他の四角ブロック１００の胴体部１１０上面の側面直交結合溝１８１に挿入され、他の一つは他の四角ブロック１００の胴体部１１０下面の側面直交結合溝１８１に挿入されて、四角ブロック１００間の側面直交結合が安定的に行われることができる。
【００３６】
＜実施例２＞
図４は、本発明による四角ブロックの他の平面図である。第２結合部１３０は、他の四角ブロック１００の第１結合部１２０に挿入されている一字型結合片１３３、及び前記一字型結合片１３３の外側壁に対称で形成される突起１３４を含むことができる。
【００３７】
上述したように、実施例１で対応する内容が変更されること以外は、実施例１と同様である。
【００３８】
＜実施例３＞
図５は、本発明による四角ブロックのまた他の平面図であり、図６は、図５の第２結合部に形成される９面角部の側面図であり、図７は、図５の四角ブロックとして、一つの四角ブロックに他の四角ブロックが多様な結合角度で結合可能であるようになることを示す図面である。
【００３９】
図５に示すように、前記第１結合部１２０は、他の四角ブロック１００の第２結合部１３０が挿入されるように、互いに対称で離隔設置される二字型結合片１２４、前記二字型結合片１２４の内側壁に対称で形成される突起１２５、及び前記二字型結合片１２４の外側壁に対称で形成される突起１２６を含み、前記第２結合部１３０は、他の四角ブロック１００の第１結合部１２０に挿入されており、かつ上端面に上下方向に９面角部１３６を有する一字型結合片１３５、及び前記一字型結合片１３５の外側壁に対称で形成される溝１３７を含んでいる。
【００４０】
２つの平面が出会う時境界を共有する２つの半平面が成す図形を２面角と言うが、前記９面角部１３６は、図６に示すように前記一字型結合片１３５の上端面に上下方向に中心角２７０゜の円弧に相当する部分を中心角３０゜の円弧に相当する部分９つに分けて、その部分を線分化して形成する。
【００４１】
前記第２結合部１３０の一字型結合片１３５の前端面に形成される９面角部１３６は、第２結合部１３０の溝１３７に第１結合部１２０の突起１２５が挿入された状態で、第１結合部１２０の二字型結合片１２４の突起１２５が形成されない内側壁と噛み合って、一つの四角ブロック１００の第１結合部１２０、第２結合部１３０に他の四角ブロック１００の第２結合部１３０、第１結合部１２０がそれぞれ結合されるとき、単純に回動だけ可能なのではなく、３０゜の角度ずつ回動しながら停止が可能になり、図７に示すように、一つの四角ブロック１００の第１結合部１２０、第２結合部１３０に他の四角ブロック１００の第２結合部１３０、第１結合部１２０がそれぞれ結合されるとき、一つの四角ブロック１００に他の四角ブロック１００が多様な結合角度で結合することができるようになる。
【００４２】
上述したように、実施例１で対応する内容が変更されること以外は、実施例１と同様である。
【００４３】
＜実施例４＞
図８は、本発明による五角ブロックの斜視図であり、図９は、本発明による五角ブロックの平面図である。
【００４４】
本発明による組み立て式ブロック玩具セットは、前記四角ブロック１００に結合されている、図８、９に示すような多数の五角ブロック２００をさらに含むことができる。
【００４５】
前記五角ブロック２００は、一定の高さの正五角柱形状の胴体部２１０、前記胴体部２１０各辺の外側面の一方に形成される５つの第１結合部２２０、前記胴体部２１０各辺の外側面の他方に形成される５つの第２結合部２３０、前記胴体部２１０の上面に形成される複数個の上下結合突起２４０、前記胴体部２１０の下面に形成される複数個の上下結合溝２５０、前記胴体部２１０の中央に形成される十字軸挿入孔２６０、前記十字軸挿入孔２６０を除いた胴体部２１０に形成される複数個の結合部挿入孔２７０、及び前記胴体部２１０の上、下面に胴体部２１０の縁部に沿って胴体部２１０内側に長く形成される一字溝２８０を含む。
【００４６】
前記第１結合部２２０は、他の四角ブロック１００または五角ブロック２００の第２結合部１３０、２３０が挿入されるように、互いに対称で離隔設置される二字型結合片２２１、前記二字型結合片２２１の内側壁に対称で形成される溝２２２、及び前記二字型結合片２２１の外側壁に対称で形成される突起２２３を含み、前記第２結合部２３０は、他の四角ブロック１００または五角ブロック２００の第１結合部１２０、２２０に挿入されているＨ字型結合片２３１、及び前記Ｈ字型結合片２３１の外側上端に対称で形成される突起２３２を含み、一つの五角ブロック２００の第１結合部２２０、第２結合部２３０に他の四角ブロック１００または五角ブロック２００の第２結合部１３０、２３０、第１結合部１２０、２２０がそれぞれ結合された状態で回動可能になる。
【００４７】
前記上下結合突起２４０は、胴体部２１０の上面中央に対称で複数個の小さな円柱型突起で形成され、前記上下結合溝２５０(図示せず)は、他の四角ブロック１００または五角ブロック２００の上下結合突起１４０、２４０が挿入されるように、胴体部２１０下面中央に対称で複数個の小さな円柱型溝で形成される。
【００４８】
前記十字軸挿入孔２６０は、胴体部２１０中央に十字形状または円筒形状に形成されて、前記十字軸挿入孔２６０には、五角ブロック２００とは別の十字軸４００(図１９参照)が挿入される。前記十字軸挿入孔２６０が十字形状に形成されると、十字軸挿入孔２６０に十字軸４００が挿入されて回転するとき、十字軸４００と五角ブロック２００が共に回転して、前記十字軸挿入孔２６０が円筒形状に形成されると、十字軸挿入孔２６０に十字軸４００が挿入されて回転しても、十字軸４００のみ回転し、四角ブロック１００は回転しない（図３参照）。
【００４９】
前記五角ブロック２００の十字軸挿入孔２６０に十字軸４００が挿入されると、前記十字軸４００には、五角ブロック２００だけでなく、四角ブロック１００が共に挿入されることができる。
【００５０】
前記十字軸挿入孔２６０を除いた胴体部２１０に形成される複数個の結合部挿入孔２７０は、他の四角ブロック１００または五角ブロック２００の第１結合部１２０、２２０の結合片１２１、２２１、第２結合部１３０、２３０の結合片１３１、２３１が立てられて直交挿入されるように形成されて、他の四角ブロック１００または五角ブロック２００の第１結合部１２０、２２０の結合片１２１、２２１が挿入されている複数個の正四角形挿入孔２７１、及び他の四角ブロック１００または五角ブロック２００の第２結合部１３０、２３０の結合片１３１、２３１が挿入されている複数個のＸ字型挿入孔２７２を含む。
【００５１】
前記結合部挿入孔２７０は、十字軸挿入孔２６０の上端に３つ、十字軸挿入孔２６０左、右に各１つ、十字軸挿入孔２６０の下端に３つが格子形状に形成されており、このように形成された結合部挿入孔２７０には、他の四角ブロック１００または五角ブロック２００の第１結合部１２０、２２０、第２結合部１３０、２３０が６種の形態で結合可能になる（図１５参照）。
【００５２】
前記結合部挿入孔２７０の上、下、左、右には、他の四角ブロック１００または五角ブロック２００の第１結合部１２０、２２０、第２結合部１３０、２３０が容易に挿入されて弾力的に結合されるように挿入溝２７３が形成されることができる。
【００５３】
前記胴体部２１０各辺の外側面の中央には、他の四角ブロック１００または五角ブロック２００の胴体部１１０、２１０側面が立てられて直交結合されるように、互いに離隔設置される一対の結合片２９１を有する第３結合部２９０が形成されることができる。前記第３結合部２９０の結合片２９１は、第１、２結合部２２０、２３０の結合片２２１、２３１より短く形成され、前記第３結合部２９０の結合片２９１の内側面には、突起２９２が形成されて、前記突起２９２中の一つは内側面上側に形成され、他の一つは内側面下側に形成される。
【００５４】
前記胴体部２１０上面各辺の一字溝２８０の中央から一方に少し偏って側面直交結合溝２８１が形成され、前記胴体部２１０下面各辺の一字溝２８０の中央から他方に少し偏って側面直交結合溝２８１が形成されており、一つの五角ブロック２００の胴体部２１０側面に他の四角ブロック１００または五角ブロック２００の胴体部１１０、２１０側面が置かれて直交結合されるとき、前記第３結合部２９０の結合片２９１の内側面に形成された突起２９２中の一つは、他の四角ブロック１００または五角ブロック２００の胴体部１１０、２１０上面の側面直交結合溝１８１、２８１に挿入され、他の一つは他の四角ブロック１００または五角ブロック２００の胴体部１１０、２１０下面の側面直交結合溝１８１、２８１に挿入されて、五角ブロック２００と他の四角ブロック１００または五角ブロック２００間の側面直交結合が安定的に行われることができる。
【００５５】
＜実施例５＞
五角ブロック２００の第２結合部２３０は、他の四角ブロック１００または五角ブロック２００の第１結合部１２０、２２０に挿入されている一字型結合片２３３、及び前記一字型結合片２３３の外側壁に対称で形成される突起２３４を含むことができる（図４参照）。
【００５６】
上述したように、実施例４で対応する内容が変更されること以外は、実施例４と同様である。
【００５７】
＜実施例６＞
五角ブロック２００の第１結合部２２０は、他の四角ブロック１００または五角ブロック２００の第２結合部１３０、２３０が挿入されるように、互いに対称で離隔設置される二字型結合片２２４、前記二字型結合片２２４の内側壁に対称で形成される突起２２５、及び前記二字型結合片２２４の外側壁に対称で形成される突起２２６を含み、前記第２結合部２３０は、他の四角ブロック１００または五角ブロック２００の第１結合部１２０、２２０に挿入されており、かつ上端面に上下方向に９面角部２３６を有する一字型結合片２３５、及び前記一字型結合片２３５の外側壁に対称で形成される溝２３７を含むことができる（図５参照）。
【００５８】
前記９面角部２３６は、前記一字型結合片２３５の上端面に上下方向に中心角２７０゜の円弧に相当する部分を中心角３０゜の円弧に相当する部分９つに分けて、その部分を線分化して形成される（図６参照）。
【００５９】
前記第２結合部２３０の一字型結合片２３５の前端面に形成される９面角部２３６は、第２結合部２３０の溝２３７に第１結合部２２０の突起２２５が挿入された状態で、第１結合部２２０の二字型結合片２２４の突起２２５が形成されない内側壁と噛み合って、一つの五角ブロック２００の第１結合部２２０、第２結合部２３０に他の四角ブロック１００または五角ブロック２００の第２結合部１３０、２３０、第１結合部１２０、２２０がそれぞれ結合されるとき、単純に回動だけ可能なのではなく、３０゜の角度ずつ回動しながら停止が可能になり、一つの五角ブロック２００の第１結合部２２０、第２結合部２３０に他の四角ブロック１００または五角ブロック２００の第２結合部１３０、２３０、第１結合部１２０、２２０がそれぞれ結合されるとき、一つの五角ブロック１００に他の四角ブロック１００または五角ブロック２００が多様な結合角度で結合されることができるようになる（図７参照）。
【００６０】
上述したように、実施例４で対応する内容が変更されること以外は、実施例４と同様である。
【００６１】
＜実施例７＞
図１０は、本発明による三角ブロックの斜視図であり、図１１は、本発明による三角ブロックの下面平面図である。
【００６２】
本発明による組み立て式ブロック玩具セットは、前記四角ブロック１００または五角ブロック２００に結合されている、図１０、１１に示すような多数の三角ブロック３００をさらに含むことができる。
【００６３】
前記三角ブロック３００は、一定の高さの正三角柱形状の胴体部３１０、前記胴体部３１０各辺の外側面の一方に形成される３つの第１結合部３２０、前記胴体部３１０各辺の外側面の他方に形成される３つの第２結合部３３０、前記胴体部３１０の上面に形成される複数個の上下結合突起３４０、前記胴体部３１０の下面に形成される複数個の上下結合溝３５０、前記胴体部３１０の中央に形成される十字軸挿入孔３６０、及び前記胴体部３１０の上、下面に胴体部３１０の縁部に沿って胴体部３１０内側に長く形成される一字溝３７０を含む。
【００６４】
前記第１結合部３２０は、他の四角ブロック１００、五角ブロック２００または三角ブロック３００の第２結合部１３０、２３０、３３０が挿入されるように、互いに対称で離隔設置される二字型結合片３２１、前記二字型結合片３２１の内側壁に対称で形成される溝３２２、及び前記二字型結合片３２１の外側壁に対称で形成される突起３２３を含み、前記第２結合部３３０は、他の四角ブロック１００、五角ブロック２００または三角ブロック３００の第１結合部１２０、２２０、３２０に挿入されているＨ字型結合片３３１、及び前記Ｈ字型結合片３３１の外側上端に対称で形成される突起３３２を含み、一つの三角ブロック３００の第１結合部３２０、第２結合部３３０に他の四角ブロック１００、五角ブロック２００または三角ブロック３００の第２結合部１３０、２３０、３３０、第１結合部１２０、２２０、３２０がそれぞれ結合された状態で回動可能になる。
【００６５】
前記上下結合突起３４０は、胴体部３１０上面中央に対称で複数個の小さな円柱形突起で形成されて、前記上下結合溝３５０は、他の三角ブロック３００の上下結合突起３４０が挿入されるように胴体部３１０下面中央に対称で複数個の小さな円柱型溝で形成される。
【００６６】
前記十字軸挿入孔３６０は、胴体部３１０中央に十字または円筒形状に形成されて、前記十字軸挿入孔３６０には、三角ブロック３００とは別の十字軸４００が挿入される。前記十字軸挿入孔３６０が十字形状に形成されると、十字軸挿入孔３６０に十字軸４００が挿入されて回転するとき、十字軸４００と三角ブロック３００が共に回転して、前記十字軸挿入孔３６０が円筒形状に形成されると、十字軸挿入孔３６０に十字軸４００が挿入されて回転しても、十字軸４００のみ回転し、三角ブロック３００は回転しない。
【００６７】
前記三角ブロック３００の十字軸挿入孔３６０に十字軸４００が挿入されると、前記十字軸４００には三角ブロック３００だけでなく、四角ブロック１００、五角ブロック２００が共に挿入されることができる。
【００６８】
前記胴体部３１０各辺の外側面の中央には、他の四角ブロック１００、五角ブロック２００または三角ブロック３００の胴体部１１０、２１０、３１０側面が立てられて直交結合されるように、互いに離隔設置される一対の結合片３８１を有する第３結合部３８０が形成されることができる。前記第３結合部３８０の結合片３８１は、第１、２結合部３２０、３３０の結合片３２１、３３１より短く形成され、前記第３結合部３８０の結合片３８１の内側面には突起３８２が形成されて、前記突起３８２中の一つは内側面上側に形成され、他の一つは内側面下側に形成される。
【００６９】
前記胴体部３１０上面各辺の一字溝３７０の中央から一方に少し偏って側面直交結合溝３７１が形成され、前記胴体部３１０下面各辺の一字溝３７０の中央から他方に少し偏って側面直交結合溝３７１が形成されており、一つの三角ブロック３００の胴体部３１０側面に他の四角ブロック１００、五角ブロック２００または三角ブロック３００の胴体部１１０、２１０、３１０側面が立てられて直交結合されるとき、前記第３結合部３８０の結合片３８１の内側面に形成された突起３８２中の一つは、他の四角ブロック１００、五角ブロック２００または三角ブロック３００の胴体部１１０、２１０、３１０上面の側面直交結合溝１８１、２８１、３７１に挿入されて、他の一つは、他の四角ブロック１００、五角ブロック２００または三角ブロック３００の胴体部１１０、２１０、３１０下面の側面直交結合溝１８１、２８１、３７１に挿入されて、三角ブロック３００と他の四角ブロック１００、五角ブロック２００または三角ブロック３００間の側面直交結合が安定的に行われることができる。
【００７０】
＜実施例８＞
三角ブロック３００の第２結合部２３０は、他の四角ブロック１００、五角ブロック２００または三角ブロック３００の第１結合部１２０、２２０、３２０に挿入されている一字型結合片３３３、及び前記一字型結合片３３３の外側壁に対称で形成される突起３３４を含むことができる（図４参照）。
【００７１】
上述したように、実施例７で対応する内容が変更されること以外は、実施例７と同様である。
【００７２】
＜実施例９＞
三角ブロック３００の第１結合部３２０は、他の四角ブロック１００、五角ブロック２００または三角ブロック３００の第２結合部１３０、２３０、３３０が挿入されるように、互いに対称で離隔設置される二字型結合片３２４、前記二字型結合片３２４の内側壁に対称で形成される突起３２５、及び前記二字型結合片３２４の外側壁に対称で形成される突起３２６を含み、前記第２結合部３３０は、他の四角ブロック１００、五角ブロック２００または三角ブロック３００の第１結合部１２０、２２０、３２０に挿入されており、かつ上端面に上下方向に９面角部３３６を有する一字型結合片３３５、及び前記一字型結合片３３５の外側壁に対称で形成される溝３３７を含むことができる（図５参照）。
【００７３】
前記９面角部３３６は、前記一字型結合片３３５の上端面に上下方向に中心角２７０゜の円弧に相当する部分を中心角３０゜の円弧に相当する部分９つに分けて、その部分を線分化して形成される（図６参照）。
【００７４】
前記第２結合部３３０の一字型結合片３３５の前端面に形成される９面角部３３６は、第２結合部３３０の溝３３７に第１結合部３２０の突起３２５が挿入された状態で、第１結合部３２０の二字型結合片３２４の突起３２５が形成されない内側壁と噛み合って、一つの三角ブロック３００の第１結合部３２０、第２結合部３３０に他の四角ブロック１００、五角ブロック２００または三角ブロック３００の第２結合部１３０、２３０、３３０、第１結合部１２０、２２０、３２０がそれぞれ結合されるとき、単純に回動だけ可能なのではなく、３０゜の角度ずつ回動しながら停止が可能になり、一つの三角ブロック３００の第１結合部３２０、第２結合部３３０に他の四角ブロック１００、五角ブロック２００または三角ブロック３００の第２結合部１３０、２３０、３３０、第１結合部１２０、２２０、３２０がそれぞれ結合されるとき、一つの三角ブロック１００に他の四角ブロック１００、五角ブロック２００または三角ブロック３００が多様な結合角度で結合されることができるようになる（図７参照）。
【００７５】
上述したように、実施例７で対応する内容が変更されること以外は、実施例７と同様である。
【００７６】
以下、本発明による四角ブロック、五角ブロック、三角ブロックの結合方法について説明する。
【００７７】
図１２は、本発明による四角ブロック間の水平結合を示す図面であり、図１３は、本発明による四角ブロック間の垂直結合を示す図面であり、図１４は、本発明による四角ブロック間の上下結合を示す図面であり、図１５は、本発明による四角ブロック間の結合部の挿入孔の垂直結合を示す図面であり、図１６は、本発明による四角ブロック間の側面直交結合を示す図面であり、図１７は、本発明による四角ブロックと五角ブロック間の結合を示す図面であり、図１８は、本発明による四角ブロックと三角ブロック間の結合を示す図面であり、図１９は、本発明による四角ブロック、五角ブロック、三角ブロック間の結合を示す図面である。
【００７８】
図１２に示すように、本発明による四角ブロック間の水平結合は、一つの四角ブロック１００の第１結合部１２０、第２結合部１３０に、他の四角ブロック１００の第２結合部１３０、第１結合部１２０が水平にそれぞれ結合されて構成され、図１３に示すように、本発明による四角ブロック間の垂直結合は、一つの四角ブロック１００の第１結合部１２０、第２結合部１３０に他の四角ブロック１００の第２結合部１３０、第１結合部１２０が垂直にそれぞれ結合されて構成され、一つの四角ブロック１００の第１結合部１２０、第２結合部１３０に他の四角ブロック１００の第２結合部１３０、第１結合部１２０がそれぞれ結合された状態で回動可能になる。
【００７９】
図１４に示すように、本発明による四角ブロック間の上下結合は、一つの四角ブロック１００の下面の上下結合溝１５０に、他の一つの四角ブロック１００の上面の上下結合突起１４０が挿入されて構成され、一つの四角ブロック１００の上下結合溝１５０に、他の四角ブロック１００の上下結合突起１４０が挿入される方法を繰り返して、多数個の四角ブロック１００を垂直に高く積むことができる。
【００８０】
図１５に示すように、本発明による四角ブロック間の結合部挿入孔の垂直結合は、十字軸挿入孔１６０を除いた胴体部１１０に形成される複数個の結合部挿入孔１７０に、他の四角ブロック１００の第１結合部１２０の結合片１２１、第２結合部１３０の結合片１３１が立てられて直交挿入されて構成され、前記結合部挿入孔１７０は、十字軸挿入孔１６０の上端に３つ、十字軸挿入孔１６０左、右に各１つ、十字軸挿入孔１６０の下端に３つが格子形状に形成されており、このように形成された結合部挿入孔１７０には、他の四角ブロック１００の第１結合部１２０、第２結合部１３０が６種の形態で結合可能になる。
【００８１】
図１６に示すように、本発明による四角ブロック間の側面直交結合は、一つの四角ブロック１００の胴体部１１０側面の第３結合部１９０に、他の一つの四角ブロック１００の胴体部１１０側面の第３結合部１３０が直交結合されて構成され、一つの四角ブロック１００の胴体部１１０側面に、他の四角ブロック１００の胴体部１１０側面が立てられて直交結合されるとき、前記第３結合部１９０の結合片１９１の内側面に形成された突起１９２中の一つは、他の四角ブロック１００の胴体部１１０上面の側面直交結合溝１８１に挿入されて、他の一つは、他の四角ブロック１００の胴体部１１０下面の側面直交結合溝１８１に挿入されて、四角ブロック１００間の側面直交結合が安定的に構成されることができる。
【００８２】
図１７に示すように、本発明による四角ブロックと五角ブロック間の結合は、四角ブロックと五角ブロック間の水平結合、垂直結合、上下結合、結合部挿入孔の垂直結合、側面直交結合で構成されて、図１８に示すように、本発明による四角ブロックと三角ブロック間の結合は、四角ブロックと三角ブロック間の水平結合、垂直結合、側面直交結合で構成されて、図１９に示すように、本発明による四角ブロック、五角ブロック、三角ブロック間の結合は、四角ブロック、五角ブロック、三角ブロック間の四角ブロックと五角ブロック間の水平結合、垂直結合、上下結合、結合部挿入孔の垂直結合、側面直交結合、四角ブロックと三角ブロック間の水平結合、垂直結合、側面直交結合、十字軸を挿入する結合で構成される。
【００８３】
上述したように、四角ブロック、五角ブロック、三角ブロック間の結合と十字軸を挿入する結合を通じて、本発明による組み立て式ブロック玩具セットは、非常に多様な形状を組立てることができ、同様な原理によって六角ブロック、八角ブロックも含むことができる。
【符号の説明】
【００８４】
１００：四角ブロック
１１０：胴体部
１２０：第１結合部
１２１：二字型結合片
１２２：溝
１２３：突起
１２４：二字型結合片
１２５：突起
１２６：突起
１３０：第２結合部
１３１：Ｈ字型結合片
１３２：突起
１３３：一字型結合片
１３４：突起
１３５：一字型結合片
１３６：９面角部
１３７：溝
１４０：上下結合突起
１５０：上下結合溝
１６０：十字軸挿入孔
１７０：結合部挿入孔
１７１：正四角形挿入孔
１７２：Ｘ字型挿入孔
１７３：挿入溝
１８０：一字溝
１８１：側面直交結合溝
１９０：第３結合部
１９１：結合片
１９２：突起
２００：五角ブロック
２１０：胴体部
２２０：第１結合部
２２１：二字型結合片
２２２：溝
２２３：突起
２２４：二字型結合片
２２５：突起
２２６：突起
２３０：第２結合部
２３１：Ｈ字型結合片
２３２：突起
２３３：一字型結合片
２３４：突起
２３５：一字型結合片
２３６：９面角部
２３７：溝
２４０：上下結合突起
２５０：上下結合溝
２６０：十字軸挿入孔
２７０：結合部挿入孔
２７１：正四角形挿入孔
２７２：Ｘ字型挿入孔
２７３：挿入溝
２８０：一字溝
２８１：側面直交結合溝
２９０：第３結合部
２９１：結合片
２９２：突起
３００：三角ブロック
３１０：胴体部
３２０：第１結合部
３２１：二字型結合片
３２２：溝
３２３：突起
３２４：二字型結合片
３２５：突起
３２６：突起
３３０：第２結合部
３３１：Ｈ字型結合片
３３２：突起
３３３：一字型結合片
３３４：突起
３３５：一字型結合片
３３６：９面角部
３３７：溝
３４０：上下結合突起
３５０：上下結合溝
３６０：十字軸挿入孔
３７０：一字溝
３７１：側面直交結合溝
３８０：第３結合部
３８１：結合片
３８２：突起
４００：十字軸
【図１】
2018061812.tif 000003
【図２】
2018061812.tif 000004
【図３】
2018061812.tif 000005
【図４】
2018061812.tif 000006
【図５】
2018061812.tif 000007
【図６】
2018061812.tif 000008
【図７】
2018061812.tif 000009
【図８】
2018061812.tif 000010
【図９】
2018061812.tif 000011
【図１０】
2018061812.tif 000012
【図１１】
2018061812.tif 000013
【図１２】
2018061812.tif 000014
【図１３】
2018061812.tif 000015
【図１４】
2018061812.tif 000016
【図１５】
2018061812.tif 000017
【図１６】
2018061812.tif 000018
【図１７】
2018061812.tif 000019
【図１８】
2018061812.tif 000020
【図１９】
2018061812.tif 000021
【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
組み立て式ブロック玩具セットにおいて、
前記組み立て式ブロック玩具セットは、多数の四角ブロック（１００）で構成されており、
前記四角ブロック（１００）は、一定の高さの正四角柱形状の胴体部（１１０）、前記胴体部（１１０）各外側面に１つずつ形成される４つの第１結合部（１２０）、前記胴体部（１１０）各外側面に１つずつ形成される４つの第２結合部（１３０）、前記胴体部（１１０）の上面に形成される複数個の上下結合突起（１４０）、前記胴体部（１１０）の下面に形成される複数個の上下結合溝（１５０）、前記胴体部（１１０）の中央に形成される十字軸挿入孔（１６０）、前記十字軸挿入孔（１６０）を除いた胴体部（１１０）に形成される複数個の結合部挿入孔（１７０）、及び前記胴体部（１１０）の上、下面に胴体部（１１０）の縁部に沿って胴体部（１１０）内側に長く形成される一字溝（１８０）を含み、
各外側面において、前記第１結合部（１２０）と前記第２結合部（１３０）は互いに離間して配置され、
前記第１結合部（１２０）は、他の四角ブロック（１００）の第２結合部（１３０）が挿入されるように、互いに対称で離隔設置される二字型結合片（１２１）、前記二字型結合片（１２１）の内側壁に対称で形成される溝（１２２）、及び前記二字型結合片（１２１）の外側壁に対称で形成される突起（１２３）を含み、前記第２結合部（１３０）は、他の四角ブロック（１００）の第１結合部（１２０）に挿入されるＨ字型結合片（１３１）、及び前記Ｈ字型結合片（１３１）の外側上端に対称で形成される突起（１３２）を含むことを特徴とする組み立て式ブロック玩具セット。
【請求項２】
組み立て式ブロック玩具セットにおいて、
前記組み立て式ブロック玩具セットは、多数の四角ブロック（１００）で構成されており、
前記四角ブロック（１００）は、一定の高さの正四角柱形状の胴体部（１１０）、前記胴体部（１１０）各外側面に１つずつ形成される４つの第１結合部（１２０）、前記胴体部（１１０）各外側面に１つずつ形成される４つの第２結合部（１３０）、前記胴体部（１１０）の上面に形成される複数個の上下結合突起（１４０）、前記胴体部（１１０）の下面に形成される複数個の上下結合溝（１５０）、前記胴体部（１１０）の中央に形成される十字軸挿入孔（１６０）、前記十字軸挿入孔（１６０）を除いた胴体部（１１０）に形成される複数個の結合部挿入孔（１７０）、及び前記胴体部（１１０）の上、下面に胴体部（１１０）の縁部に沿って胴体部（１１０）内側に長く形成される一字溝（１８０）を含み、
各外側面において、前記第１結合部（１２０）と前記第２結合部（１３０）は互いに離間して配置され、
前記第１結合部（１２０）は、他の四角ブロック（１００）の第２結合部（１３０）が挿入されるように、互いに対称で離隔設置される二字型結合片（１２４）、前記二字型結合片（１２４）の内側壁に対称で形成される突起（１２５）、及び前記二字型結合片（１２４）の外側壁に対称で形成される突起（１２６）を含み、前記第２結合部（１３０）は、他の四角ブロック（１００）の第１結合部（１２０）に挿入され、かつ上端面に上下方向に９面角部（１３６）を有する一字型結合片（１３５）、及び前記一字型結合片（１３５）の外側壁に対称で形成される溝（１３７）を含むことを特徴とする組み立て式ブロック玩具セット。
【請求項３】
前記組み立て式ブロック玩具セットは、さらに多数の五角ブロック（２００）を含み、
前記五角ブロック（２００）は、一定の高さの正五角柱形状の胴体部（２１０）、前記胴体部（２１０）各外側面に１つずつ形成される５つの第１結合部（２２０）、前記胴体部（２１０）各外側面に１つずつ形成される５つの第２結合部（２３０）、前記胴体部（２１０）の上面に形成される複数個の上下結合突起（２４０）、前記胴体部（２１０）の下面に形成される複数個の上下結合溝（２５０）、前記胴体部（２１０）の中央に形成される十字軸挿入孔（２６０）、前記十字軸挿入孔（２６０）を除いた胴体部（２１０）に形成される複数個の結合部挿入孔（２７０）、及び前記胴体部（２１０）の上、下面に胴体部（２１０）の縁部に沿って胴体部（２１０）内側に長く形成される一字溝（２８０）を含み、
各外側面において、前記第１結合部（２２０）と前記第２結合部（２３０）は互いに離間して配置され、
前記第１結合部（２２０）は、他の四角ブロック（１００）または五角ブロック（２００）の第２結合部（１３０、２３０）が挿入されるように、互いに対称で離隔設置される二字型結合片（２２１）、前記二字型結合片（２２１）の内側壁に対称で形成される溝（２２２）、及び前記二字型結合片（２２１）の外側壁に対称で形成される突起（２２３）を含み、前記第２結合部（２３０）は、他の四角ブロック（１００）または五角ブロック（２００）の第１結合部（１２０、２２０）に挿入されるＨ字型結合片（２３１）、及び前記Ｈ字型結合片（２３１）の外側上端に対称で形成される突起（２３２）を含むことを特徴とする、請求項１に記載の組み立て式ブロック玩具セット。
【請求項４】
前記組み立て式ブロック玩具セットは、さらに多数の五角ブロック（２００）を含み、
前記五角ブロック（２００）は、一定の高さの正五角柱形状の胴体部（２１０）、前記胴体部（２１０）各外側面に１つずつ形成される５つの第１結合部（２２０）、前記胴体部（２１０）各外側面に１つずつ形成される５つの第２結合部（２３０）、前記胴体部（２１０）の上面に形成される複数個の上下結合突起（２４０）、前記胴体部（２１０）の下面に形成される複数個の上下結合溝（２５０）、前記胴体部（２１０）の中央に形成される十字軸挿入孔（２６０）、前記十字軸挿入孔（２６０）を除いた胴体部（２１０）に形成される複数個の結合部挿入孔（２７０）、及び前記胴体部（２１０）の上、下面に胴体部（２１０）の縁部に沿って胴体部（２１０）内側に長く形成される一字溝（２８０）を含み、
各外側面において、前記第１結合部（２２０）と前記第２結合部（２３０）は互いに離間して配置され、
前記第１結合部（２２０）は、他の四角ブロック（１００）または五角ブロック（２００）の第２結合部（１３０、２３０）が挿入されるように、互いに対称で離隔設置される二字型結合片（２２４）、前記二字型結合片（２２４）の内側壁に対称で形成される突起（２２５）、及び前記二字型結合片（２２４）の外側壁に対称で形成される突起（２２６）を含み、前記第２結合部（２３０）は、他の四角ブロック（１００）または五角ブロック（２００）の第１結合部（１２０、２２０）に挿入され、かつ上端面に上下方向に９面角部（２３６）を有する一字型結合片（２３５）、及び前記一字型結合片（２３５）の外
側壁に対称で形成される溝（２３７）を含むことを特徴とする、請求項２に記載の組み立て式ブロック玩具セット。
【請求項５】
前記組み立て式ブロック玩具セットは、さらに多数の三角ブロック（３００）を含み、
前記三角ブロック（３００）は、一定の高さの正三角柱形状の胴体部（３１０）、前記胴体部（３１０）各外側面に１つずつ形成される３つの第１結合部（３２０）、前記胴体部（３１０）各外側面に１つずつ形成される３つの第２結合部（３３０）、前記胴体部（３１０）の上面に形成される複数個の上下結合突起（３４０）、前記胴体部（３１０）の下面に形成される複数個の上下結合溝（３５０）、前記胴体部（３１０）の中央に形成される十字軸挿入孔（３６０）、及び前記胴体部（３１０）の上、下面に胴体部（３１０）の縁部に沿って胴体部（３１０）内側に長く形成される一字溝（３７０）を含み、
各外側面において、前記第１結合部（３２０）と前記第２結合部（３３０）は互いに離間して配置され、
前記第１結合部（３２０）は、他の四角ブロック（１００）、五角ブロック（２００）または三角ブロック（３００）の第２結合部（１３０、２３０、３３０）が挿入されるように、互いに対称で離隔設置される二字型結合片（３２１）、前記二字型結合片（３２１）の内側壁に対称で形成される溝（３２２）、及び前記二字型結合片（３２１）の外側壁
に対称で形成される突起（３２３）を含み、前記第２結合部（３３０）は、他の四角ブロック（１００）、五角ブロック（２００）または三角ブロック（３００）の第１結合部（１２０、２２０、３２０）に挿入されるＨ字型結合片（３３１）、及び前記Ｈ字型結合片（３３１）の外側上端に対称で形成される突起（３３２）を含むことを特徴とする、請求項３に記載の組み立て式ブロック玩具セット。
【請求項６】
前記組み立て式ブロック玩具セットは、さらに多数の三角ブロック（３００）を含み、
前記三角ブロック（３００）は、一定の高さの正三角柱形状の胴体部（３１０）、前記胴体部（３１０）各外側面に１つずつ形成される３つの第１結合部（３２０）、前記胴体部（３１０）各外側面に１つずつ形成される３つの第２結合部（３３０）、前記胴体部（３１０）の上面に形成される複数個の上下結合突起（３４０）、前記胴体部（３１０）の下面に形成される複数個の上下結合溝（３５０）、前記胴体部（３１０）の中央に形成される十字軸挿入孔（３６０）、及び前記胴体部（３１０）の上、下面に胴体部（３１０）の縁部に沿って胴体部（３１０）内側に長く形成される一字溝（３７０）を含み、
各外側面において、前記第１結合部（３２０）と前記第２結合部（３３０）は互いに離間して配置され、
前記第１結合部（３２０）は、他の四角ブロック（１００）、五角ブロック（２００）または三角ブロック（３００）の第２結合部（１３０、２３０、３３０）が挿入されるように、互いに対称で離隔設置される二字型結合片（３２４）、前記二字型結合片（３２４）の内側壁に対称で形成される突起（３２５）、及び前記二字型結合片（３２４）の外側壁に対称で形成される突起（３２６）を含み、前記第２結合部（３３０）は、他の四角ブロック（１００）、五角ブロック（２００）または三角ブロック（３００）の第１結合部（１２０、２２０、３２０）に挿入され、かつ上端面に上下方向に９面角部（３３６）を有する一字型結合片（３３５）、及び前記一字型結合片（３３５）の外側壁に対称で形成される溝（３３７）を含むことを特徴とする、請求項４に記載の組み立て式ブロック玩具セット。
【請求項７】
前記組み立て式ブロック玩具セットに含まれる、各ブロック（１００、２００、３００）は、
胴体部（１１０、２１０、３１０）の各外側面の第１結合部と第２結合部の間に、自身以外の他のブロック（１００、２００、３００）の胴体部（１１０、２１０、３１０）側面が立てられて直交結合されるように、互いに離隔設置される一対の結合片を有する第３結合部が形成され、前記第３結合部の結合片は第１、２結合部の結合片より短く形成され、前記第３結合部の結合片の内側面には突起が形成され、前記突起中の一つは内側面の上側に形成され、他の一つは内側面の下側に形成されて、
前記胴体部上面の各辺の一字溝の中央から一方に偏って側面直交結合溝が形成され、前記胴体部下面の各辺の一字溝の中央から他方に偏って側面直交結合溝が形成されて、一つのブロックの胴体部側面に自身以外の他のブロックの胴体部側面が立てられて直交結合されるとき、前記第３結合部の結合片の内側面に形成された突起中の一つは、前記他のブロックの胴体部上面の側面直交結合溝に挿入されて、他の一つは、前記他のブロックの胴体部下面の側面直交結合溝に挿入されることを特徴とする、請求項１〜６のいずれか一項に記載の組み立て式ブロック玩具セット。